(57)【要約】【課題】建物のコーナー部の移動を円滑に行うことが可能な伸縮式ゴンドラを提供する。【解決手段】ゴンドラ１０は、本体部１２と、本体部１２の長さ方向両側に設けられた伸縮部１４，１６とを備える。伸縮部１４，１６は、車輪２８，３０が設けられたガイドバー２４，２６を備えており、これらの車輪２８，３０が本体部１２に設けられたガイドレール３６，３８で案内される。これにより、伸縮部１４，１６は本体部１２に対して長さ方向に移動することができ、ゴンドラ１０は長さ方向に伸縮可能となる。建物のコーナー部を移動させる際には、ゴンドラ１０を収縮させることで、コーナー部の移動を円滑に行える。【選択図】      図１
2005023699.tif 000002
【特許請求の範囲】
【請求項１】
構築物の外壁に沿って吊り下げられ、高所作業を行うためのゴンドラであって、前記外壁に沿った水平方向の長さが伸縮可能に構成されていることを特徴とするゴンドラ。
【請求項２】
請求項１記載のゴンドラを構築物の外壁面に沿って移動させる方法であって、前記ゴンドラの長さを伸長させた状態で構築物の外壁面の作業を行った後、前記ゴンドラの長さを収縮させた状態で隣りの外壁面との間のコーナー部を移動させ、当該隣りの外壁面まで移動させたら、前記ゴンドラの長さを伸長させて当該隣りの外壁面での作業を開始することを特徴とする方法。
【発明の詳細な説明】
【０００１】
【発明の属する技術分野】
本発明は、建物外壁工事や建物外壁の各種メンテナンス作業等において用いられるゴンドラに係り、特に、構築物のコーナー部における移動を円滑に行うことが可能なゴンドラに関する。また、本発明はそのようなゴンドラを構築物の外壁面に沿って移動させる方法にも関する。
【０００２】
【従来の技術】
例えば建物の外壁工事や外壁のメンテナンス作業等で用いられるゴンドラは、建物外壁に沿って吊り下げられ、作業員が乗って高所作業を行なうものである。このようなゴンドラを利用すれば、足場を組むことなく外壁工事等を行えるので、足場を組む手間が省け、また、建物の美観を損ねることもないなど、多くのメリットがある。しかし、ゴンドラを用いた作業は、当然ながら、その長さの範囲でしか行うことができない。したがって、建物外壁の広範囲にわたって作業を行う場合には、その作業位置に応じてゴンドラを水平方向に移動させる必要がある。
【０００３】
なお、特許文献１には、塔状構築物（例えば煙突）の周囲を取り囲むように複数のゴンドラを設けてなるゴンドラ装置が開示されている。このような構成であれば、ゴンドラを水平方向に移動させることは不要である。
【０００４】
【特許文献１】
特開平６−２６１９０号公報
【０００５】
【発明が解決しようとする課題】
ゴンドラを用いた作業の効率を上げるには、ゴンドラの移動頻度を少なくすることが必要であり、そのためには、ゴンドラをある程以上の長さにせざるを得ない。その一方、建物のコーナー部を移動させる場合には、ゴンドラが長くなるほどゴンドラが不安定になるため、その移動を円滑に行なうことが難しくなる。また、ゴンドラが長くなるほど、コーナー部を移動する際のゴンドラの回転半径が大きくなって、建物コーナー部の周辺に大きな空間や空き地が必要となる。しかし、建物周辺にそのような大きな空間や空き地を確保できるとは限らない。
【０００６】
また、特許文献１に開示されたゴンドラ装置では、ゴンドラを水平に移動させることは不要となるが、これは塔状構築物を前提としたものであり、ビル等の一般的な建物の全周にわたってゴンドラを配置することは現実的でない。
【０００７】
本発明は上記の点に鑑みてなされたものであり、建物のコーナー部の移動を円滑に行うことが可能なゴンドラおよびその移動方法を提供することを目的とする。
【０００８】
【課題を解決するための手段】
上記の目的を達成するため、本発明は、構築物の外壁に沿って吊り下げられ、高所作業を行うためのゴンドラであって、前記外壁に沿った方向の長さが伸縮可能に構成されていることを特徴とする。
【０００９】
本発明によれば、ゴンドラが伸縮可能に構成されているため、ゴンドラ上での作業時にはゴンドラを伸長させて広い作業範囲を確保しつつ、建物のコーナー部を移動させる際には、ゴンドラを収縮させて、ゴンドラの移動を円滑に行うことができる。
【００１０】
また、本発明のゴンドラを構築物の外壁面に沿って移動させる方法は、前記ゴンドラの長さを伸長させた状態で構築物の外壁面の作業を行った後、前記ゴンドラの長さを収縮させた状態で隣りの外壁面との間のコーナー部を移動させ、当該隣りの外壁面まで移動させたら、前記ゴンドラの長さを伸長させて当該隣りの外壁面での作業を開始することを特徴とする。
【００１１】
【発明の実施の形態】
以下、添付図面を参照して本発明の実施形態について説明する。
図１は、本発明の一実施形態であるゴンドラ１０の正面図である。また、図２は、図１におけるＡ部拡大断面図である。なお、以下の説明において、図１における左右方向を長さ方向といい、図１における紙面に垂直な方向を幅方向というものとする。
【００１２】
図１および図２に示すように、ゴンドラ１０は、本体部１２と、本体部１２の長さ方向両側に連結された伸縮部１４，１６とを備えている。伸縮部１４，１６は、本体部１２を外側から覆うように、本体部１２に対して図中左右方向に移動可能に支持されている。すなわち、図２に示されるように、伸縮部１４，１６の手摺柱１４ａ，１６ａは、本体部１２の手摺柱１２ａの幅方向外側に配置され、また、伸縮部１４，１６の底板１４ｂ，１６ｂは、本体部１２の底板１２ｂより下側の位置に配置されている。なお、伸縮部１４，１６を移動可能に支持する案内機構については後述する。
【００１３】
伸縮部１４，１６の下面には、取付部材１８を介して足車２０が取り付けられている。なお、足車２０を本体部１２の下面に設ける構成としてもよい。また、本体部１２にはワイヤ２２が掛けられており、ゴンドラ１０はワイヤ２２により建物上部から吊り下げられる。
【００１４】
伸縮部１４，１６の幅方向両側の底部近傍位置には、夫々、ガイドバー２４，２６が設けられている。ガイドバー２４，２６は、伸縮部１４，１６から本体部１２側へ突出して、本体部１２を幅方向両側から挟むように構成されている。また、ガイドバー２４，２６は互いに高さ方向にずれた位置に配置されており、これにより、後述する図３に示すように、ガイドバー２４，２６が互いに干渉することなくゴンドラ１０を収縮できるようになっている。図２に示すように、ガイドバー２４，２６の上面には、手摺柱１４ａ，１６ａが立設されている。また、ガイドバー２４，２６の内側面には、複数のタイヤ等の車輪２８，３０が回転可能に支持されている。
【００１５】
一方、本体部１２の幅方向両側の床部近傍位置には、その長さ方向に延びるベース部材３２が固定されている。ベース部材３２の上面には手摺柱１２ａが立設されている。また、ベース部材３２の外側面には、Ｃ型断面を有するガイドレール３６、３８が、本体部１２の長さ方向に延びるように上下２段に固定されている。このガイドレール３６、３８には、夫々、上記した車輪２８，３０が収容されている。したがって、車輪２８，３０がガイドレール３６，３８内で案内されながら転がることで、伸縮部１４，１６は本体部１２に対して長さ方向に自在に移動することができる。これにより、図３に示すように、伸縮部１４，１６を夫々本体部１２側へ移動させてゴンドラ１０の長さを収縮させることができる。なお、伸縮部１４，１６の移動は、不図示のロック機構によりロックできるようになっている。
【００１６】
本実施形態において、伸縮部１４，１６の移動は手動で行ってもよいし、あるいは、少なくとも一部の車輪２８，３０をモータ駆動することにより自動的に行えるようにしてもよい。また、伸縮部１４，１６を駆動するためのボールねじ機構やギア機構等の駆動機構を設けてもよく、この場合、駆動機構をハンドルなどの手動で操作して駆動する構成としてもよいし、モータ等のアクチュエータで駆動する構成としてもよい。
【００１７】
図４（ａ）〜（ｃ）は、ゴンドラ１０を建物５０の外壁面５０ａから外壁面５０ｂへ移動させる様子を平面図で示す。同図（ａ）に示すように、外壁面５０ａで作業を行っている場合は、ゴンドラ１０を伸長させて作業範囲を最大限に確保する。次に、同図（ｂ）に示すように、外壁面５０ａからコーナー部５０ｃを移動する場合は、ゴンドラ１０を収縮させることで、ゴンドラ１０を安定させると共に、回転半径を小さくして建物外周への突出量を少なくする。そして、同図（ｃ）に示すように、外壁面５０ｂに達したら、再び、ゴンドラ１０を伸長させて、外壁面５０ｂでの作業を行う。なお、図５（ａ）〜（ｃ）には、凹状のコーナー部６０ｃを有する建物６０の外壁面６０ａから外壁面６０ｂへ移動させる場合の様子を示す。
【００１８】
なお、ゴンドラ１０のコーナー部の移動は、作業高さに吊り下げたまま空中で行ってもよいし、地上に降ろして行ってもよい。上述のようにゴンドラ１０の下面には足車１８が設けられているので、地上でのゴンドラ１０の移動や、伸縮作業も簡単に行うことができる。
【００１９】
以上説明したように、本実施形態のゴンドラ１０はその長さ方向に伸縮可能に構成されているので、作業時にはゴンドラ１０を伸長させて作業範囲を大きく確保しつつ、建物のコーナー部の移動時にはゴンドラ１０を収縮させることで、コーナー部の移動を円滑かつ安全に行うことができる。また、コーナー移動時にゴンドラ１０の長さを収縮させることで、ゴンドラ１０の移動のために建物コーナー部に必要な空間や空き地も小さくて済む。このため、建物コーナー部の周辺に十分な空間や空き地を確保できない場合にも、ゴンドラ１０を移動させることができる。
【００２０】
また、本実施形態では、伸縮部１４，１６を本体部１２の外側に設けた構成としているので、作業員がゴンドラ１０に乗ったままで安全にゴンドラ１０の伸縮作業を行うことができる。
【００２１】
なお、上記実施形態では、伸縮部１４，１６に車輪２８，３０を設け、これらの車輪２８，３０を本体部１２に設けたガイドレール３６，３８で案内するものとしたが、これに限らず、本体部１２に設けた車輪を伸縮部１４，１６に設けたガイドレールで案内する構成としてもよい。
【００２２】
また、上記実施形態では、ゴンドラ１０が本体部１２および伸縮部１４，１６の３つの部分から構成されているものとしたが、これに限らず、図６に示すように、２つの部分４０，４２から構成されて、これらの部分４０，４２が長さ方向に相対的に移動可能であるものとしてもよい。
【００２３】
【発明の効果】
本発明の伸縮式ゴンドラによれば、建物のコーナー部の移動を円滑に行うことができる。
【図面の簡単な説明】
【図１】本発明の一実施形態であるゴンドラの正面図である。
【図２】図１におけるＸ−Ｘ部拡大断面図である。
【図３】本実施形態のゴンドラを収縮させた状態を示す図である。
【図４】本実施形態のゴンドラを移動させる様子の一例を示す平面図である。
【図５】本実施形態のゴンドラを移動させる様子の別の例を示す平面図である。
【図６】ゴンドラを２つの構成部分により構成した例を示す図である。
【符号の説明】
１０  ゴンドラ
１２  本体部
１４，１６  伸縮部
２０  足車
２２  ワイヤ
２４，２６  ガイドバー
２８，３０  車輪
３２  ベース部材
【図１】
2005023699.tif 000003
【図２】
2005023699.tif 000004
【図３】
2005023699.tif 000005
【図４】
2005023699.tif 000006
【図５】
2005023699.tif 000007
【図６】
2005023699.tif 000008